(57)【要約】      （修正有）【課題】指の握力の弱い女性看護師（特に５０代）などの指握力弱者が快適に使用できる狭持型固定体および狭持型固定体付医療用器支持具を提供する。【解決手段】挟持型固定体２は、ベース体３と、このベース体３にねじ移動形態で取り付けられた操作部７で回す可動シャフト６と、前記可動シャフト６の他方の側の設けられた可動シャフト側挟持体８と、前記ベース体３の前記他方の側に固定された固定シャフト９ａ、９ｂと、この固定シャフト９ａ、９ｂに該固定シャフト９ａ、９ｂを軸に前記一方の側および他方の側に振れ自在に設けられ、前記可動シャフト側挟持体８とで挟持対象物体１１を狭持して該挟持対象物体１１への取り付け固定状態を実現する固定シャフト側挟持体１２とからなっている。【選択図】図１
2012223404.tif 000002
【特許請求の範囲】
【請求項１】
ベース体と、
このベース体に貫通されたねじ孔と、
このねじ孔に螺合された雄ねじが螺刻されてなる可動シャフトと、
この可動シャフトの一方の側に設けられた手で該可動シャフトを回し移動させるための操作部と、
前記可動シャフトの他方の側に設けられた可動シャフト側挟持体と、
前記ベース体の前記可動シャフトから離れた位置で前記他方の側に固定された固定シャフトと、
この固定シャフトを通す該固定シャフトの太さ径よりも広径のシャフト通し孔を有し、このシャフト通し孔に前記固定シャフトを通した移動可能状態としかつ該固定シャフトを軸に前記一方の側および他方の側に振れ自在に設けられた、前記可動シャフト側挟持体とで挟持対象物体を狭持して該挟持対象物体への取り付け固定状態を実現する固定シャフト側挟持体と、
この固定シャフト側挟持体と前記可動シャフト側挟持体の間で前記固定シャフトの対向側に形成された前記挟持対象物体が、該固定シャフト側挟持体と前記可動シャフト側挟持体の間に入るようにするための開口部と、
前記固定シャフト側挟持体、前記固定シャフトあるいは前記ベース体に設けられた、支持される部材を支持するための支持部材あるいは該支持部材を取り付けるための支持部材取付け部とからなることを特徴とする狭持型固定体。
【請求項２】
可動シャフト側挟持体が、ベース体側に移動しないように且つ該可動シャフトを軸に前記一方側および他方側に振れ自在に設けられてなることを特徴とする請求項１に記載の挟持型固定体。
【請求項３】
可動シャフト側挟持体および固定シャフト側挟持体あるいは該可動シャフト側挟持体の振れ角度が５度以上であって、挟持対象物体を挟持し固定される状態にあっては前記５度以上の傾きでの前記挟持であることを特徴とする請求項１、２のいずれか１項に記載の挟持型固定体。
【請求項４】
支持部材が設けられ、該支持部材が固定シャフト側挟持体、固定シャフトあるいはベース体に取り付けられた棒部材アームと、この棒部材アームの先端側に設けられたフレキシブルアームとからなる支持部材であることを特徴とする請求項１〜３のいずれか１項に記載の狭持型固定体。
【請求項５】
固定シャフトにシャフト通し孔の縁が噛む連続するシャフト凹部位を設けてなることを特徴とする請求項１〜４のいずれか１項に記載の狭持型固定体。
【請求項６】
支持部材取付け部をベース体側あるいは固定シャフト側に設けたことを特徴とする請求項１〜５のいずれか１項に記載の狭持型固定体。
【請求項７】
請求項１〜３、５、６のいずれか1項に記載の狭持型固定体と、この挟持型固定体を構成する固定シャフト側挟持体、固定シャフトあるいはベース体に取り付けられた棒部材アーム、この棒部材アームの先端側に設けられたフレキシブルアームとからなる支持部材と、前記フレキシブルアームに取り付けられた支持される部材を支持するためのクリップとからなることを特徴とする狭持型固定体付医療用器支持具。
【発明の詳細な説明】
【技術分野】
【０００１】
本発明は、ベッドの手すり、テーブルの縁などの挟持対象物体に該挟持対象物体を挟持して着脱自在形態で取り付け固定される狭持型固定体および狭持型固定体付医療用器支持具に関する。
【背景技術】
【０００２】
従来の狭持型固定体および狭持型固定体付医療用器支持具として、ベッドの手すりに着脱自在形態で固定されるスプリング式付勢挟持力クリップである狭持型固定体と、この狭持型固定体に根元が固定されてなるフレキシブルアームと、このフレキシブルアームをその中間部を上から吊り形態であるいは下から支え棒形態で支持するフレキシブル支持手段と、フレキシブルアームの先端に設けられた医療用吸入器を挟持するクリップからなる狭持型固定体付医療用器支持具が知られている。（例えば特許文献１）
【先行技術文献】
【特許文献】
【０００３】
【特許文献１】特開2011-19645
【非特許文献】
【０００４】
【非特許文献１】特になし
【発明の概要】
【発明が解決しようとする課題】
【０００５】
上述した従来技術は、狭持型固定体がスプリング式付勢挟持力クリップであるため、スプリングの付勢力が強く、指の握力の弱い女性看護師（５０代など高年齢となるほど）などの指握力弱者にとっては、クリップをスプリングの付勢力に抗して開くことは大変であり、苦痛である、指・手の筋肉や筋を痛めるなど使用性が大変悪いという欠点を有するものであった。
【０００６】
本発明は以上のような従来技術の欠点に鑑み、指の握力の弱い女性看護師（特に５０代）などの指握力弱者が快適に使用できる狭持型固定体および狭持型固定体付医療用器支持具を提供することを目的としている。
【課題を解決するための手段】
【０００７】
上記目的を達成するために、本発明は次のような構成している。
＜請求項１に記載の発明＞
ベース体と、
このベース体に貫通されたねじ孔と、
このねじ孔に螺合された雄ねじが螺刻されてなる可動シャフトと、
この可動シャフトの一方の側に設けられた手で該可動シャフトを回し移動させるための操作部と、
前記可動シャフトの他方の側に設けられた可動シャフト側挟持体と、
前記ベース体の前記可動シャフトから離れた位置で前記他方の側に固定された固定シャフトと、
この固定シャフトを通す該固定シャフトの太さ径よりも広径のシャフト通し孔を有し、このシャフト通し孔に前記固定シャフトを通した移動可能状態としかつ該固定シャフトを軸に前記一方の側および他方の側に振れ自在に設けられた、前記可動シャフト側挟持体とで挟持対象物体を狭持して該挟持対象物体への取り付け固定状態を実現する固定シャフト側挟持体と、
この固定シャフト側挟持体と前記可動シャフト側挟持体の間で前記固定シャフトの対向側に形成された前記挟持対象物体が、該固定シャフト側挟持体と前記可動シャフト側挟持体の間に入るようにするための開口部と、
前記固定シャフト側挟持体、前記固定シャフトあるいは前記ベース体に設けられた、支持される部材を支持するための支持部材あるいは該支持部材を取り付けるための支持部材取付け部とからなることを特徴とする狭持型固定体である。
「挟持対象物体」は、ベッドの手すり、テーブルの縁などである。
「支持される部材」は、医療現場では吸引器、ナースコール、管類、通信・電源コードなどがある。
＜請求項２に記載の発明＞
可動シャフト側挟持体が、ベース体側に移動しないように且つ該可動シャフトを軸に前記一方側および他方側に振れ自在に設けられてなることを特徴とする請求項１に記載の挟持型固定体である。
＜請求項３に記載の発明＞
可動シャフト側挟持体および固定シャフト側挟持体あるいは該可動シャフト側挟持体の振れ角度が５度以上であって、挟持対象物体を挟持し固定される状態にあっては前記５度以上の傾きでの前記挟持であることを特徴とする請求項１、２のいずれか１項に記載の挟持型固定体である。
＜請求項４に記載の発明＞
支持部材が設けられ、該支持部材が固定シャフト側挟持体、固定シャフトあるいはベース体に取り付けられた棒部材アームと、この棒部材アームの先端側に設けられたフレキシブルアームとからなる支持部材であることを特徴とする請求項１〜３のいずれか１項に記載の狭持型固定体である。
「棒部材アーム」は、非フレキシブルアームである。
＜請求項５に記載の発明＞
固定シャフトにシャフト通し孔の縁が噛む連続するシャフト凹部位を設けてなることを特徴とする請求項１〜４のいずれか１項に記載の狭持型固定体。
＜請求項６に記載の発明＞
支持部材取付け部をベース体側あるいは固定シャフト側に設けたことを特徴とする請求項１〜５のいずれか１項に記載の狭持型固定体である。
＜請求項７に記載の発明＞
請求項１〜３、５、６のいずれか1項に記載の狭持型固定体と、この挟持型固定体を構成する固定シャフト側挟持体、固定シャフトあるいはベース体に取り付けられた棒部材アーム、この棒部材アームの先端側に設けられたフレキシブルアームとからなる支持部材と、前記フレキシブルアームに取り付けられた支持される部材を支持するためのクリップとからなることを特徴とする狭持型固定体付医療用器支持具である。
【発明の効果】
【０００８】
以上の説明から明らかなように、本発明にあっては次に列挙する効果が得られる。
＜請求項１に記載の発明の効果＞
ベース体と、
このベース体に貫通されたねじ孔と、
このねじ孔に螺合された雄ねじが螺刻されてなる可動シャフトと、
この可動シャフトの一方の側に設けられた手で該可動シャフトを回し移動させるための操作部と、
前記可動シャフトの他方の側に設けられた可動シャフト側挟持体と、
前記ベース体の前記可動シャフトから離れた位置で前記他方の側に固定された固定シャフトと、
この固定シャフトを通す該固定シャフトの太さ径よりも広径のシャフト通し孔を有し、このシャフト通し孔に前記固定シャフトを通した移動可能状態としかつ該固定シャフトを軸に前記一方の側および他方の側に振れ自在に設けられた、前記可動シャフト側挟持体とで挟持対象物体を狭持して該挟持対象物体への取り付け固定状態を実現する固定シャフト側挟持体と、
この固定シャフト側挟持体と前記可動シャフト側挟持体の間で前記固定シャフトの対向側に形成された前記挟持対象物体が、該固定シャフト側挟持体と前記可動シャフト側挟持体の間に入るようにするための開口部と、
前記固定シャフト側挟持体、前記固定シャフトあるいは前記ベース体に設けられた、支持される部材を支持するための支持部材あるいは該支持部材を取り付けるための支持部材取付け部とからなることを特徴とする狭持型固定体であるので、次に述べるような効果を奏する。
固定シャフトの太さ径よりも広径のシャフト通し孔を有する固定シャフト側挟持体は、前記固定シャフト上を手で自在に移動させることが素早くスムーズ快適に行える。よって、開口部を挟持対象物体が入る広さに固定シャフト側挟持体を移動させて素早く形成し、挟持対象物体を開口部に入れたら、固定シャフト側挟持体を移動させて、該固定シャフト側挟持体および可動シャフト側挟持体の両方を挟持対象物体に素早く当て（以下「両挟持体当て挟み状態」という）かつ、この当て状態で操作部および可動シャフトを回し可動シャフト側挟持体を締め付け移動させ、可動シャフト側挟持体と固定シャフト側挟持体で挟持対象物体を締め付け挟持して固定状態を実現する。
このときの動作は、可動シャフト側挟持体の締め付け移動にともなって振れ自在とされた可動シャフト側挟持体は押され傾き状態となり、シャフト通し孔の一方の縁が固定シャフトに当接したそれ以上傾かないかつ移動が出来ない固定状態となって、そのまま可動シャフト側挟持体の締め付け移動がなされて、可動シャフト側挟持体と固定シャフト側挟持体で挟持対象物体を締め付け挟持して固定状態を実現するとともに、両挟持体当て挟み状態での操作部の回し操作は、可動シャフトが螺合されるねじのピッチ、挟持対象物体の硬さにもよるが、半回転〜２回転程度の回し操作という指握力弱者でも短時間で軽快な締め付け操作を完了できるという効果を奏する。
また、外すときは、指握力弱者による軽快な操作部を半回転〜２回転程度の回し操作だけでよいので、指握力弱者でも軽快に素早く外し操作が行えるという効果を奏する。
＜請求項２に記載の発明の効果＞
可動シャフト側挟持体が、ベース体側に移動しないように且つ該可動シャフトを軸に前記一方側および他方側に振れ自在に設けられてなることを特徴とする請求項１に記載の挟持型固定体であるので、請求項１に記載の発明と同様な効果を奏するとともに、次に述べるような効果を奏する。
固定シャフト側挟持体の傾きに追随した傾きとなって、締め付け挟持を効果的にするという効果を奏する。
＜請求項３に記載の発明の効果＞
可動シャフト側挟持体および固定シャフト側挟持体あるいは該可動シャフト側挟持体の振れ角度が５度以上であって、挟持対象物体を挟持し固定される状態にあっては前記５度以上の傾きでの前記挟持であることを特徴とする請求項１、２のいずれか１項に記載の挟持型固定体であるので、請求項１、２のいずれか１項に記載の発明と同様な効果を奏する。
動シャフト側挟持体の振れ角度が５度以上とすることによって、固定シャフトへのシャフト通し孔の食い当たりが良好となり滑ることがないという効果を奏する。
＜請求項４に記載の発明の効果＞
支持部材が設けられ、該支持部材が固定シャフト側挟持体、固定シャフトあるいはベース体に取り付けられた棒部材アームと、この棒部材アームの先端側に設けられたフレキシブルアームとからなる支持部材であることを特徴とする請求項１〜３のいずれか１項に記載の狭持型固定体であるので、請求項１〜３のいずれか１項に記載の発明と同様な効果を奏するとともに、次に述べるような効果を奏する。
非フレキシブルの棒部材である棒部材アームとこの棒部材アームの先端側に設けられたフレキシブルアームとからなる支持部材であるので、棒部材アームの長さの分だけフレキシブルアームの長さを短くできるので、フレキシブルアームが荷重による首垂れ状態とはなり難い、より荷重のあるものを保持することができるものにできる、指握力弱者でも容易に曲げることができるフレキシブルアームにできるという効果を奏する。
＜請求項５に記載の発明の効果＞
固定シャフトにシャフト通し孔の縁が噛む連続するシャフト凹部位を設けてなることを特徴とする請求項１〜４のいずれか１項に記載の狭持型固定体ので、請求項１〜４のいずれか１項に記載の発明と同様な効果を奏するとともに、次に述べるような効果を奏する。
シャフト通し孔の縁が噛む連続するシャフト凹部位によって、締め付け固定状態にあっては不要な力が加わっても固定シャフト側挟持体が固定シャフトを移動できないようにする、すなわち、締め付け状態が解除し難くできるという効果を奏する。
＜請求項６に記載の発明の効果＞
支持部材取付け部をベース体側あるいは固定シャフト側に設けたことを特徴とする請求項１〜５のいずれか１項に記載の狭持型固定体であるので、発明と同様な効果を奏するとともに、請求項１〜５のいずれか１項に記載の次に述べるような効果を奏する。
支持部材取付け部に取り付けた支持部材の自重および保持した支持される部材の荷重は、挟持固定状態にある固定シャフト側挟持体の傾きに対して該傾きを強める方向に作用するので、不要な力による締め付け状態の解除がし難くできるという効果を奏する。
＜請求項７に記載の発明の効果＞
請求項１〜３、５、６のいずれか1項に記載の狭持型固定体と、この挟持型固定体を構成する固定シャフト側挟持体、固定シャフトあるいはベース体に取り付けられた棒部材アーム、この棒部材アームの先端側に設けられたフレキシブルアームとからなる支持部材と、前記フレキシブルアームに取り付けられた支持される部材を支持するためのクリップとからなることを特徴とする狭持型固定体付医療用器支持具であるので、医療用器支持具において請求項１〜３、５、６のいずれか1項に記載の発明と同様な効果を奏する。
【図面の簡単な説明】
【０００９】
【図１】本発明の実施例１の平面図および側面図。
【図２】本発明の実施例１の使用状態図。
【図３】本発明の実施例２の平面図および側面図。
【図４】本発明の実施例３の平面図および側面図。
【図５】本発明の実施例４の側面図および使用状態図。
【図６】本発明の実施例５の側面図および使用状態図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１、図２に示す本発明の実施例１において、１は狭持型固定体付医療用器支持具であって、この狭持型固定体付医療用器支持具１は狭持型固定体２と、支持部材２６と、クリップ２７とからなっている。
【００１２】
挟持型固定体２は、
四角形板体（角はカット）からなるベース体３と、
このベース体３に貫通されたねじ孔４と、
このねじ孔４に螺合された雄ねじ５が螺刻されてなる可動シャフト６と、
この可動シャフト６の一方の側に設けられた手で該可動シャフト６を回し移動させるための手で握る円柱ないし円盤形態（厚み１０ｍｍ〜３０ｍｍ程度で径４０ｍｍ〜６０ｍｍ程度が適当）の操作部７と、
前記可動シャフト６の他方の側の該可動シャフト６の先端にその中央を可動自在に取り付けられ、かつ、それによって一方の側と他方の側に５度以上の振れ（傾き）自在に設けられた円盤形態の可動シャフト側挟持体８と、
前記ベース体３の前記可動シャフト６から離れた位置で前記他方の側に固定された固定シャフト９ａ、９ｂと、
この固定シャフト９ａ、９ｂを通す該固定シャフト９ａ、９ｂの太さ径よりも広径のシャフト通し孔１０ａ、１０ｂを有し、このシャフト通し孔１０ａ、１０ｂに前記固定シャフト９ａ、９ｂを通した移動可能状態としかつ該固定シャフト９ａ、９ｂを軸に前記一方の側および他方の側に振れ自在に設けられ、かつ、それによって一方の側と他方の側に５度以上の振れ（傾き）自在に設けられた、前記可動シャフト側挟持体８とで挟持対象物体１１を狭持して該挟持対象物体１１への取り付け固定状態を実現する四角形板体（角はカット）からなる固定シャフト側挟持体１２と、
この固定シャフト側挟持体１２と前記可動シャフト側挟持体８の間で前記固定シャフト９ａ、９ｂの対向側に形成された前記挟持対象物体１１が、該固定シャフト側挟持体１２と前記可動シャフト側挟持体８の間に入るようにするための開口部１３と、
前記固定シャフト側挟持体１２の他方側面に設けられた、支持される部材（図示せず省略）を支持するための支持部材２６を取り付けるための棒ねじ（ねじ孔、ねじ通し孔でもよいし、熔接でもよい）支持部材取付け部１５とからなっている。
【００１３】
固定シャフト９ａ、９ｂのベース体３側には雄ねじ２５が螺刻されナット１６が螺合され、ベース体３には雄ねじ２５が螺合されるねじ孔１７ａ、１７ｂが螺刻されている。
可動シャフト側挟持体８の挟持面にはゴム板１８が貼られ、固定シャフト側挟持体１２の挟持面にはゴム板１９が貼られている。
固定シャフト９ａ、９ｂの先端にはねじ孔（図示せず省略）が螺刻され、該ねじ孔に螺合されたボルト２０によって取り付けられた連結プレート２１によって、固定シャフト９ａ、９ｂは連結されている。
【００１４】
支持部材取付け部１５には非フレキシブル形態の棒部材アーム２３が螺合取り付けられ、棒部材アーム２３の先端にはフレキシブルアーム２４が取り付けられ、この棒部材アーム２３、フレキシブルアーム２４とで支持部材２６を形成し、フレキシブルアーム２４の先端にはクリップ２７が取り付けられて、これらによって狭持型固定体付医療用器支持具１を形成している。
【００１５】
固定シャフト９ａ、９ｂの太さ径よりも広径のシャフト通し孔１０ａ、１０ｂを有する固定シャフト側挟持体１２は、前記固定シャフト９ａ、９ｂ上を手で自在に移動させることが素早くスムーズ快適に行える。よって、開口部１３を挟持対象物体１１が入る広さに固定シャフト側挟持体１２を移動させて素早く形成し、挟持対象物体１１を開口部１３に入れたら、固定シャフト側挟持体１２を移動させて、該固定シャフト側挟持体１２および可動シャフト側挟持体８の両方を挟持対象物体１１に素早く当て（以下「両挟持体当て挟み状態」という）かつ、この当て状態で操作部７および可動シャフト６を回し可動シャフト側挟持体８を締め付け移動させ、可動シャフト側挟持体８と固定シャフト側挟持体１２で挟持対象物体１１を締め付け挟持して固定状態を実現する。
このときの動作は、可動シャフト側挟持体８の締め付け移動にともなって振れ自在とされた可動シャフト側挟持体８は押され傾き状態となり、シャフト通し孔１０ａ、１０ｂの一方の縁が固定シャフト９ａ、９ｂに当接したそれ以上傾かないかつ移動が出来ない固定状態となって、そのまま可動シャフト側挟持体８の締め付け移動がなされて、可動シャフト側挟持体８と固定シャフト側挟持体１２で挟持対象物体１１を締め付け挟持して固定状態を実現するとともに、両挟持体当て挟み状態での操作部７の回し操作は、可動シャフト６が螺合されるねじのピッチ、挟持対象物体１１の硬さにもよるが、半回転〜２回転程度の回し操作という指握力弱者でも短時間で軽快な締め付け操作を完了できる。
また、外すときは、指握力弱者による軽快な操作部７を半回転〜２回転程度の回し操作だけでよいので、指握力弱者でも軽快に素早く外し操作が行える。
【実施例２】
【００１６】
図３に示す本発明の実施例２において前記実施例１と主に異なる点は、固定シャフト９ａ、９ｂの対向面にそれぞれシャフト通し孔１０ａ、１０ｂの縁が噛む連続するシャフト凹部位２９を設け、連結シャフト２１を厚みのある頑丈な厚みのある部材とし、この連結シャフト２１にねじ孔（図示せず省略）を設け、該ねじ孔に支持部材取付け部１５を螺合取り付けた構成とした狭持型固定体３０を形成した点にある。
シャフト凹部位には小さな刻み形態のものも含む。
【実施例３】
【００１７】
図４に示す本発明の実施例３において前記実施例１と主に異なる点は、支持部材取付け部をベース体３にねじ孔形態とした支持部材取付け部３３として設けてなる狭持型固定体３４を形成した点にある。
支持部材取付け部３３には棒部材アーム２３が取り付けられ、固定シャフト側挟持体１２は該棒部材アーム２３を避ける溝３５が設けられ、操作部を略球形態の操作部３６としている。
棒部材アームを四角棒アームとし、固定シャフト側挟持体１２に該四角棒アームを通すシャフト通し孔を設け、四角棒アームを固定シャフトとし、固定シャフト９ａ、９ｂを設けない構成とするのもよい。
【実施例４】
【００１８】
図５に示す本発明の実施例４において前記実施例１と主に異なる点は、ベース体を固定シャフト９ａ、９ｂを取り付ける部位を傾斜面３９としたベース体４１とし、固定シャフト９ａ、９ｂを可動シャフト側挟持体８側に傾斜した形態とし、該可動シャフト側挟持体８を振れない固定形態とした狭持型固定体４０を形成した点にある。
【実施例５】
【００１９】
図６に示す本発明の実施例５において前記実施例１と主に異なる点は、ベース体を固定シャフト９ａ、９ｂを取り付ける部位を傾斜面４４（ねじ孔１７ａ、１７ｂも合わせて傾斜）としたベース体４５とし、固定シャフト９ａ、９ｂを可動シャフト側挟持体８の反対側に傾斜した形態とし、固定シャフト側挟持体１２のシャフト通し孔をベース体を固定シャフト９ａ、９ｂと同じ方向への傾斜したシャフト通し孔４７ａ、４７ｂとした狭持型固定体４６を形成した点にある。
狭持型固定体４６に支持部材２６を取り付けて狭持型固定体付医療用器支持具４８を形成している。
固定シャフト側挟持体１２は可動シャフト側挟持体８と略並行状態となる向きが挟持固定位置である。
【００２０】
固定シャフト９ａ、９ｂをベース体３から真っ直ぐに延び形態とし、シャフト通し孔１０ａ、１０ｂを傾斜孔にして、挟持対象物体を挟持締め付けた状態において、固定シャフト９ａ、９ｂに対して固定シャフト側挟持体１２が直角になる、すなわち、固定シャフト側挟持体１２が可動シャフト側挟持体８ないしベース体３に対して略平行となるようにするのもよい。
【産業上の利用可能性】
【００２１】
本発明は主に医療現場で利用され、主に医療補助具を生産する産業で利用される。
【符号の説明】
【００２２】
１：狭持型固定体付医療用器支持具、
２：狭持型固定体、
３：ベース体、
４：ねじ孔、
５：雄ねじ、
６：可動シャフト、
７：操作部、
８：可動シャフト側挟持体、
９ａ、９ｂ：固定シャフト、
１０ａ、１０ｂ：シャフト通し孔、
１１：挟持対象物体、
１２：固定シャフト側挟持体、
１３：開口部、
１５：支持部材取付け部、
１６：ナット、
１７ａ、１７ｂ：ねじ孔、
１８：ゴム板、
１９：ゴム板、
２０：ボルト、
２１：連結プレート、
２３：棒部材アーム、
２４：フレキシブルアーム、
２５：雄ねじ、
２６：支持部材、
２７：クリップ、
２９：シャフト凹部位、
３０：狭持型固定体、
３３：支持部材取付け部、
３４：狭持型固定体、
３５：溝、
３６：操作部、
３９：傾斜面、
４０：狭持型固定体、
４１：ベース体、
４４：傾斜面、
４５：ベース体、
４６：狭持型固定体、
４７ａ、４７ｂ：シャフト通し孔、
４８：狭持型固定体付医療用器支持具。
【図１】
2012223404.tif 000003
【図２】
2012223404.tif 000004
【図３】
2012223404.tif 000005
【図４】
2012223404.tif 000006
【図５】
2012223404.tif 000007
【図６】
2012223404.tif 000008